(57)【要約】      （修正有）【課題】木の下または源流など釣場の狭い所では、木の枝や蜘蛛の巣又は流木等の障害物により、釣針が引っ掛り、狙ったポイントに釣針を投入する事自体困難であるが、その投入する事が不可能であったポイントに釣針を落下させることができる釣具を提供する。【解決手段】小型軽量の本体の外周部に凸部及び凹部の形状を、そして、内部に釣針及びオモリなどの仕掛の格納部を設けた糸巻部を釣竿に着脱可能に取り付ける。【選択図】図５
2011200181.tif 000002
【特許請求の範囲】
【請求項１】
仕掛を収納する格納部を設けた本体と、この本体を釣竿の穂先近傍に着脱可能にする固定部を有することを特徴とする釣具。
【請求項２】
格納部に溝を設けたことを特徴とする請求項１記載の釣具。
【請求項３】
固定部は本体を回転することにより釣竿に着脱可能にしたことを特徴とする請求項１または２のいずれかに記載の釣具。
【請求項４】
安定棒を格納部の内部に設けたことを特徴とする請求項１または２のいずれかに記載の釣具。
【発明の詳細な説明】
【技術分野】
【０００１】
この発明は、狭い所に釣針の投入を可能にする釣具に関するものである。          
【背景技術】
【０００２】
魚釣りは、魚が居そうな所（以下ポイントという）に釣針（擬餌針または餌等を付けた釣針をいう）を投入することである。その為に釣針をポイント上に持って行き落下させて投入（落下投入）するには、ポイントの水面上に仕掛を持って行くことが必要である。
この場合にポイントの水面からポイント上の障害物迄の高さ（距離）が仕掛の長さ（距離）以上に必要である。
ここでいう仕掛とは、穂先（釣竿の先端）に結ぶ釣糸から目印やオモリを含め釣針までの仕組みである。ポイントに釣針を落下投入するために前述の高さ以下に釣場に応じて仕掛全体の長さをその都度調節して穂先に結び釣竿で操作して投入する。
たとえば木の下や小谷の狭いポイントでは、釣竿の長さをも調節してポイントに仕掛を落下投入している。
【発明の概要】
【発明が解決しようとする課題】
【０００３】
木の枝の下または蜘蛛の巣などの中にあるポイントでは仕掛の長さを短くしてポイント上に釣針を持って行き落下投入してもポイントに釣針が届かないという問題点があり、仕掛を長くすれば木の枝や蜘蛛の巣又は倒木等の障害物に仕掛が引っ掛り投入する事自体が困難であるという問題点があった。
すなはち、この様なポイントには釣針の落下投入は困難であった。
【０００４】
この発明は、上記のように従来は釣針の投入が困難であったポイントに仕掛の長さを簡単に短時間で調節して釣針の落下投入を容易にすることができる釣具を提供するものである。
【課題を解決するための手段】
【０００５】
本発明は、請求項１は仕掛を収納する格納部を設けた本体と、この本体を釣竿の穂先近傍に着脱可能にする固定部を有することを特徴とする釣具である。請求項２は格納部に溝を設けたことを特徴とする請求項１記載の釣具である。請求項３は本体を回転することにより釣竿に着脱可能にした固定部を有することを特徴とする請求項１または２のいずれかに記載の釣具である。請求項４は安定棒を格納部の内部に設けたことを特徴とする請求項１または２のいずれかに記載の釣具である。
【０００６】
この発明に係わる釣具においては、小型軽量の本体の外周部に凸部と凹部からなるスプール形状の糸巻部を、内部に釣針及びオモリなどの仕掛を格納する格納部を設け、これを固定部により釣竿に着脱可能に固定するものである。
【０００７】
固定部は本体に取付けられ、本体を回転することにより釣竿に釣具を着脱可能に固定するものである。
【０００８】
本体の内部中央に設けた棒状の形状をなした安定棒は、釣竿の揺れによる釣針など仕掛の格納部からの飛び出しを防止するものである。
【発明の効果】
【０００９】
木の下または源流など釣場の狭い所では次々に変化するポイントの環境に応じその都度こまめな長さの仕掛作りから開放されるばかりか、今までは木の枝や蜘蛛の巣又は流木等の障害物などにより仕掛の投入を諦めていた絶好なポイントでも躊躇なく投入が可能になり釣の楽しみが満喫できる。
さらに、短時間に仕掛の調節ができることによる効率の向上と相まって、釣竿と仕掛がコンパクトに収納できるためポイントから次のポイントへ移動することも容易にできる。
【図面の簡単な説明】
【００１０】
【図１】実施の形態１の本発明の釣具の構成図を示したものである。
【図２】図１で示す釣具の断面図である。
【図３】本発明の本体１００の断面図である。
【図４−１】図２の固定部２００断面図である。
【図４−２】締付ボス２２０の図である。
【図４−３】竿挟み２３０の図である。
【図４−３Ａ】図４−３のＡ矢視図を示したものである。
【図４−３Ｂ】図４−３のＢ矢視図を示したものである。
【図５】本発明の釣具を装着した使用状態を示すものである。
【図６】本発明の釣具の格納部１１０に仕掛を装着した上面図である。
【図７】実施の形態２の釣具の構成図固定部３００を示したものである。
【図７−Ａ】図７のＡ矢視図の固定部３００の断面図を示したものである。
【発明を実施するための形態】
【００１１】
以下、図面に基づいて実施の形態を説明する。
実施の形態１．
図１は、本発明の釣具の構成図を示したものである。すべてが樹脂で構成され総重量は３ｇ以下であり全長は６０ｍｍと小型軽量である。本体１００の中央部である仕掛を格納する格納部１１０は、直径１５ｍｍ、長さ３０ｍｍの円筒形状であり、釣竿に本発明の釣具を着脱可能に固定する固定部２００は直径１０ｍｍ、長さ２０ｍｍである。
【００１２】
図２は図１の本発明の断面図を示すものであり、図３は図２の要部である本体１００及び固定部２００の連結ボス２１０の拡大断面図である。本体１００は格納部１１０の６箇所に均等に設けた格納壁１１４と溝１１２で構成し、格納壁１１４の外面下部は凸部と凹部からなるスプール形状の糸巻１１１を形成している。
格納部１１０内には、図６のようにオモリ０２３及び釣針０２２などを格納する。
溝１１２は格納壁１１４に設けたものでその外側から格納部１１０内に釣糸０２１を通す溝で、溝幅は１．５ｍｍで先端はＹ字形であり、溝１１２の先端からオモリ０２３及び釣針０２２を格納部１１０内に釣糸０２１と分離して格納することで釣竿０１０の揺れなどから発生する仕掛の絡みや落下を防止する効果を得るものである。
安定棒１２０は、格納部１１０内の床面中心から直立する棒状の形状で、図６のように安定棒１２０を中心として釣針０２２を格納部１１０内に収納することで釣竿０１０の揺れなどによる釣針０２２の飛び出しを防止する為のもので、仕掛の落下投入時には釣針０２２が円滑に落下する効果を得るものである。
糸巻１１１は釣糸０２１を巻くためのものであり、糸巻１１１の凸部は巻いた釣糸０２１を落下投入時までずれる事なく保持する為のものである。
【００１３】
図４−１は図２の固定部２００の拡大断面図である。竿挟み２３０を筒内に接着固定した締付ボス２２０が連結ボス２１０とのネジ接合により連結ボス２１０の筒内を移動することで連結ボス２１０の内径より開いている締付ボス２２０が締まると同時に竿挟み２３０も締まり釣竿に密着し固定する。
図４−２、図４−３a、図４−３bは締付ボス２２０の断面図である。締付ボス２２０は円筒形状であるが、筒内に竿挟み２３０を接着固定している位置から先端までが竿挟み２３０と同様に左右に開く様に切り欠いた左右対称の形状である。
図４−３は図４−１の竿挟み２３０の図で、図４−３Ａは図４−３のＡ矢視図、図４−３Ｂは図４−３のＢ矢視図である。竿挟み２３０は接合面２３４の上面で締付ボス２２０の筒内に接着固定している。竿挟み２３０は釣竿を直接挟むゴム製の密着ゴム２３１とその外壁である保持部２３２からなる左右対称の形状で接合面２３４により一対になっている。
接合面２３４の下部に取付けた開口板２３３の幅の寸法は接合面２３４の幅の寸法より大きいため竿挟み２３０は常時開口状態を保つ。竿挟み２３０を閉じた状態で左右の密着ゴム２３１からなる穴径の直径は１ｍｍ以下である。
したがって竿挟み２３０に釣竿の直径が１ｍｍより大きな位置を挟んだ状態で密着ゴム２３１が圧縮され釣竿に密着し固定する釣竿の直径は１ｍｍより大きく２．５ｍｍ位迄である。
【００１４】
図５は、釣竿に本発明の釣具を仕掛と共に上向きに装着したところを示すものである。
竿の先端に結んだ仕掛を糸巻１１１に緩まないように巻き付ける。
次に残りの仕掛を糸巻１１１の上部の格納壁１１４外側に４〜５回巻き付ける。この時、仕掛にオモリ０２３がある場合は図６のように溝１１２の先端から格納壁１１４の内側である格納部１１０内にオモリ０２３を入れ溝１１２から釣糸０２１を出し格納部１１０内下部に格納する。
更に残りの仕掛を格納壁１１４外側に巻き付け最後に溝１１２の先端から釣糸０２１を通し安定棒１２０を中心とした状態で釣針０２２を格納部１１０内部に入れる。
図５のように釣竿に固定した本発明の釣具に仕掛を格納した状態を保ったまま釣竿０１０を操作しポイント上に釣具を移動する。
釣具がポイント上に到達したところで釣竿０１０を回転し釣具をポイント上で下向きにすると仕掛は格納した逆の順に落下投入を開始する。
釣針０２２が安定棒１２０を中心とした状態で滑りながら落下を開始すると格納壁１１４外側に巻かれた仕掛も釣針０２２の落下に引かれながら緩み順次解かれ落下を継続する。オモリ０２３は、釣針０２２側の釣糸０２１が溝１１２の溝から外れると自身の重みで溝１１２の溝に沿って格納部１１０内部から落下する。格納壁１１４外側に巻かれた仕掛が全て解かれると、糸巻１１１に巻かれた仕掛も順次解かれ落下を継続し釣具から全ての仕掛が落下投入を終了する。
【００１５】
実施の形態２．
上記の実施の形態１では釣竿を挟むことで釣具を釣竿に密着し固定する説明をしたが、挟まずに釣竿を穴に通した後、１つの通し穴の位置を移動する事で釣竿と釣具を固定する様にしたのが、この実施の形態２である。
図７は通し穴により釣竿を挟み釣具を密着し固定する釣具を示すものである。
図７−Ａは図７のＡ矢視図の固定部３００の断面図である。
戻しバネ３３１は本体と竿挟み３３０の間に設けたもので、竿挟み３３０が結連ボス３１０の筒内を移動するためのものである。
竿挟み３３０は釣竿を固定する通し穴３３２を有し、戻しバネ３３１の弾力により締付ボス３２０と戻しバネ３３１の間で連結ボス３１０の筒内を移動する。
締付ボス３２０は戻しバネ３３１と竿挟み３３０を連結ボス３１０の筒内に格納するものである。
締付ボス３２０から外部に出ている竿挟み３３０の下部を指で本体（上方の連結ボス３１０内）に押込む事で連結ボス３１０の通し穴３１１の位置に竿挟み３３０の通し穴３３２の位置を合わせる。次に、連結ボス３１０の通し穴３１１と竿挟み３３０の通し穴３３２に釣竿を通し、押している指を放す事で戻しバネ３３１の弾力により固定しようとする釣竿に竿挟み３３０が自動的に移動し釣竿を挟み釣具を固定する効果を得るものである。
このように釣竿への釣具の着脱を通し穴にする機構により固定する事ができる。
【００１６】
上記説明では、従来は釣針の投入が不可能であった狭いポイント等に釣針を投入することができる場合について述べたが、その他投げ釣等にも利用できることはいうまでもない。
【符号の説明】
【００１７】
１１１：糸巻
１１２：溝
１１４：格納壁
１２０：安定棒
２１０：連結ボス
２１１：ネジ
２２０：締付ボス
２２１：ネジ
２２２：保持部
２３１：密着ゴム
２３２：保持部
２３３：開口板
２３４：接合面
０１０：釣竿
０２０：仕掛
０２１：釣糸
０２２：釣針
０２３：オモリ
０２４：目印
３１０：連結ボス
３１１：通し穴
３１２：ネジ
３２０：締付ボス
３２１：ネジ
３３０：竿挟み
３３１：戻しバネ
３３２：通し穴
【図１】
2011200181.tif 000003
【図２】
2011200181.tif 000004
【図３】
2011200181.tif 000005
【図４−１】
2011200181.tif 000006
【図４−２】
2011200181.tif 000007
【図４−３】
2011200181.tif 000008
【図４−３Ａ】
2011200181.tif 000009
【図４−３Ｂ】
2011200181.tif 000010
【図５】
2011200181.tif 000011
【図６】
2011200181.tif 000012
【図７】
2011200181.tif 000013
【図７−Ａ】
2011200181.tif 000014